(57)【要約】  【課題】  固定子がモールド樹脂で保持されているアキシャルギャップ型回転電機において、構造を複雑にすることなく固定子コアのアースを実現する。  【解決手段】  固定子と、固定子に対して回転電機の回転軸方向にエアギャップを介して配置された回転子と、固定子と回転子を収容するハウジングとを備え、固定子は、周方向に複数配置された固定子コアと、各固定子コアの周囲を巻回するコイルと、コイルが巻回された複数の固定子コアをモールドする樹脂とを有し、固定子コアの一部がコイルから回転軸方向に突出した突出部を有するように構成されており、固定子コアの突出部の周囲面と接するように導電性部材が設けられ、導電性部材を介してアースを行う。【選択図】  図１(ｃ)
2014017915.tif 000002
【特許請求の範囲】
【請求項１】
固定子と、前記固定子に対して回転電機の回転軸方向にエアギャップを介して配置された回転子と、前記固定子と前記回転子を収容するハウジングとを備えたアキシャルギャップ型回転電機であって、
前記固定子は、周方向に複数配置された固定子コアと、前記各固定子コアの周囲を巻回するコイルと、前記コイルが巻回された複数の固定子コアをモールドする樹脂とを有し、前記回転子コアの一部が前記コイルから前記回転軸方向に突出した突出部を有するように構成されており、
前記固定子コアの突出部の周囲面と接するように導電性部材が設けられ、前記導電性部材を介してアースすることを特徴とするアキシャルギャップ型回転電機。
【請求項２】
請求項１において、
前記アキシャルギャップ型回転電機は、前記回転子を二つ備え、前記二つの回転子が前記固定子を回転軸方向からエアギャップを介して挟み込むように配置されていることを特徴とするアキシャルギャップ型回転電機。
【請求項３】
請求項１又は２において、
前記ハウジングは導電性材料で構成され、
前記導電性部材は、前記ハウジングの内周面と接するように設けられていることを特徴とするアキシャルギャップ型回転電機。
【請求項４】
請求項３において、
前記導電性部材はリング形状に形成され、
前記リング形状の導電性部材の内周面が前記固定子コアの突出部の外周面と電気的に接続し、
前記リング形状の導電性部材の外周面が前記ハウジング内周面と電気的に接続することを特徴とするアキシャルギャップ型回転電機。
【請求項５】
請求項３において、
前記導電性部材はリング形状に形成され、
前記リング形状の導電性部材の外周面が前記固定子コアの突出部の内周面と電気的に接続し、
前記リング形状の導電性部材の外周面から延びた凸部が前記ハウジング内周面と電気的に接続することを特徴とするアキシャルギャップ型回転電機。
【請求項６】
請求項３において、
前記リング形状の導電性部材の内周面又は外周面から径方向に延びる凸部が形成され、前記導電性部材の凸部と前記固定子コアの突出部の側面とを接触させるようにしたことを特徴とするアキシャルギャップ型回転電機。
【請求項７】
請求項３において、
前記リング形状の導電性部材には径方向に延びるスリットが形成されていることを特徴とするアキシャルギャップ型回転電機。
【請求項８】
請求項６において、
前記リング形状の導電性部材には前記凸部が複数形成され、前記各凸部には径方向に延びるスリットが形成され、前記凸部間に前記固定子コアの突出部が位置し、前記凸部の弾性変形により前記固定子コアの突出部を挟み込むようにしたことを特徴とするアキシャルギャップ型回転電機。
【請求項９】
請求項４又は５において、
前記リング形状の導電性部材は、周方向に分割されていることを特徴とするアキシャルギャップ型回転電機。
【請求項１０】
請求項４又は５において、
前記導電性部材は、前記固定子の両端面に配置されていることを特徴とするアキシャルギャップ型回転電機。
【請求項１１】
請求項４又は５において、
前記固定子は、前記固定子コアと前記コイルとの間にボビンを有し、
前記導電性部材は、前記ボビンと面する側に前記ボビンと接する段差部を有していることを特徴とするアキシャルギャップ型回転電機。
【請求項１２】
請求項３において、
前記固定子は、内周側に前記回転軸と同心の筒状導電体を有し、
前記導電性部材は、前記筒状導電体と前記ハウジングの内周面とを電気的に接続することを特徴とするアキシャルギャップ型回転電機。
【請求項１３】
請求項１２において、
前記筒状導電体は、スリットを有していることを特徴とするアキシャルギャップ型回転電機。
【請求項１４】
請求項３において、
前記ハウジングは、内周面に突出部を有しており、
前記導電性部材が前記突出部に接するように設けられていることを特徴とするアキシャルギャップ型回転電機。
【請求項１５】
請求項１において、
前記導電性部材は、非磁性材料で構成されていることを特徴とするアキシャルギャップ型回転電機。
【発明の詳細な説明】
【技術分野】
【０００１】
本発明は、アキシャルギャップ型回転電機に係り、特に、固定子が樹脂モールドで保持されているアキシャルギャップ型回転電機の固定子コアのアース構造に関する。
【背景技術】
【０００２】
アキシャルギャップ型回転電機には、回転電機の回転軸方向に一対の円板形状の回転子を対向するように配置し、この一対の回転子の間に所定のギャップを介して固定子を挟み込んだ構造を有する２ロータ-１ステータ型のアキシャルギャップ型回転電機がある。回転子は、回転子コアと、周方向に１つまたは複数個配置された磁石とから構成され、固定子は、周方向に配置される複数の固定子コアと、固定子コアの周囲に巻回されるコイルとから構成される。このようなアキシャルギャップ型回転電機としては、例えば、特許文献１に記載されている。
【０００３】
一方、固定子がモールド樹脂で保持されている場合、軸受電食が問題となる。即ち、固定子コアがモールド樹脂で電気的に絶縁され浮遊電位となっているため、回転子と固定子間の静電容量により固定子-回転子間に電圧が発生する。この電圧が軸受の油膜の放電開始電圧と比較して大きい場合、軸受内で放電が発生し、軸受の寿命が低下する。軸受電食の対策として、固定子コアをアースする方法が知られている（例えば、特許文献２）。
【先行技術文献】
【特許文献】
【０００４】
【特許文献１】特開2005-269778号公報
【特許文献２】特開2009-118628号公報
【発明の概要】
【発明が解決しようとする課題】
【０００５】
特許文献１に記載の固定子は、軸線方向にみて扇形の鉄心（固定子コア）の回りにコイルを巻き付けたものを所期の極数分だけ周方向に並べて全体として円環状とされ、板状の支持部材を介してケースに取り付け支持した構成となっている。このため、回転子コアが樹脂モールドされても、板状の支持部材を導電性の材料で構成することによって、ケースを介してアースすることができる。
【０００６】
しかし、特許文献１に記載の２ロータ-1ステータ型のアキシャルギャップ型回転電機では、固定子は、板状の支持部材によってコイルが板状の支持部材に両側に分割されているため、コイルの結線が複雑化し、また接続に伴う部品点数の増加や作業工数が増加する。
【０００７】
特許文献２には、ラジアルギャップ型のモールドモータにおいて、固定子コアの外周部に鉄心接続端子を固定して、鉄心接続端子をモータフレームに設けた導電層と接触させることで、固定子コアとモータフレームの導電層とを電気的に導通させて固定子コアをアースする方法が開示されている。しかし、特許文献２に記載のアース方法は、アキシャルギャップ型回転電機（特に２ロータ-１ステータ型のアキシャルギャップ型回転電機）には適用できない。即ち、アキシャルギャップ型回転電機の固定子コアにおいては、特許文献１に記載のような分割構造でない場合には、全周にコイルが巻回されているために固定子コア外周部に鉄心接続端子を設けることができない。
【０００８】
また、固定子コアが露出しているギャップ面において固定子コアと鉄心接続端子とを接触させる場合、コイルから生ずる磁束が鉄心接続端子に作用して損失が発生する問題や、鉄心接続端子が挿入されることでギャップ長が増加してしまう問題もある。
【０００９】
さらには、複数の固定子コアが周方向に配置されたアキシャルギャップ型回転電機では、周方向に配置された複数の固定子コアをアースするためには、部品点数が増加して構造が複雑になり、また、製造工程の増加やコスト高になる。
【００１０】
本発明の目的は、固定子が樹脂モールドで保持されているアキシャルギャップ型回転電機において、構造を複雑にすることなく固定子コアのアースを実現することにある。
【課題を解決するための手段】
【００１１】
本発明は、アキシャルギャップ型回転電機において、固定子コアの周囲を巻回するコイルから軸方向（回転電機の回転軸方向）に回転子コアの一部が突出するように固定子を構成し、固定子コアの突出した部分（突出部）の周囲面と回転電機のハウジングとを導電性部材によって電気的に接続することを特徴とする。
【発明の効果】
【００１２】
本発明によれば、構造を複雑にすることなく、固定子コアをアースすることが可能となる。
【００１３】
上記した以外の課題、構成及び効果は、以下の実施形態の説明により明らかにされる。
【図面の簡単な説明】
【００１４】
【図１（ａ）】本発明の実施例１のアキシャルギャップモータの断面図。
【図１（ｂ）】本発明の実施例１のアキシャルギャップモータの固定子の構成を示す斜視図。
【図１（ｃ）】本発明の実施例が適用される２ロータ-１ステータ型のアキシャルギャップ型回転電機の構造の一例を示す斜視図。
【図２】本発明の実施例２のアキシャルギャップモータの固定子の構成を示す斜視図。
【図３】本発明の実施例３のアキシャルギャップモータの固定子の構成を示す斜視図。
【図４】本発明の実施例４のアキシャルギャップモータの固定子の構成を示す斜視図。
【図５（ａ）】本発明の実施例５における導電性部材の構造を示す斜視図。
【図５（ｂ）】本発明の実施例５における導電性部材と固定子コアの構成を示す斜視図。
【図６】本発明の実施例６のアキシャルギャップモータの固定子の構成を示す斜視図。
【図７】本発明の実施例７のアキシャルギャップモータの固定子の構成を示す斜視図。
【図８】本発明の実施例８のアキシャルギャップモータの固定子の構成を示す斜視図。
【図９】本発明の実施例９における導電性部材の構造を示す斜視図。
【図１０】本発明の実施例１０のアキシャルギャップモータの固定子の構成を示す斜視図。
【図１１】本発明の実施例１１のアキシャルギャップモータの固定子の構成を示す斜視図。
【図１２】本発明の実施例１１における筒状導電性部材構造の他の例を示す斜視図。
【図１３】本発明の実施例１１の筒状導電性部材のアース構造の一例を示す斜視図。
【図１４】本発明の実施例１２のアキシャルギャップモータのハウジングの構造を示す斜視図。
【発明を実施するための形態】
【００１５】
以下、本発明の実施例を説明する。以下の説明では、アキシャルギャップ型回転電機の一例として、２ロータ-1ステータ型のアキシャルギャップモータに本発明を適用した場合について説明する。２ロータ-１ステータ型のアキシャルギャップ型回転電機では、２枚の回転子を有するため、１ロータ型のアキシャルギャップ型回転電機と比較し、より多くの磁石磁束を利用できる。そのため、高効率化・高出力密度化の点で有利である。
【００１６】
先ず、図１(ａ)〜図１(ｃ）を用いて本発明が適用される２ロータ-1ステータ型のアキシャルギャップモータの概略構造を説明する。
【００１７】
図１(ａ)は、本発明の一実施例である２ロータ-１ステータ型のアキシャルギャップモータを示す断面図、図１(ｂ)は、本発明の一実施例のアキシャルギャップモータの固定子の構成を示す斜視図、図１(ｃ)は、本発明が適用されるアキシャルギャップモータの部分的な斜視図である。
＜モータ構造＞
２ロータ-１ステータ型のアキシャルギャップモータ１００は、図１(ａ)に示すように、回転軸方向に一対の円板形状の回転子３０を対向するように配置し、一対の回転子３０の間に所定のギャップＧを介して固定子２０を挟み込んだ構造を有している。回転子３０は回転軸５０に取り付けられ、固定子２０はモールド樹脂２３によって金属製のハウジング４０に支持されている。ハウジング４０は回転子３０および固定子２０を覆うように配置され、軸受６０を介して回転軸５０を保持している。
＜回転子＞
回転子３０は、周方向に１つまたは複数個配置された磁石３３と、回転子コア３２とが構造材３１に保持されて構成されている。なお、本発明において、回転子３０は、図１(ａ)及び図１（ｃ）に示した構造に限定されるものではなく、具体的な形状については任意であってよい。例えば、構造材の半径方向外周端部を省略し、漏れ磁束を低減するようにしても良い。
＜固定子＞
固定子２０は、周方向に配置される複数の固定子コア２１と、各固定子コア２１の周囲に巻回されるコイル２２とから構成され、モールド樹脂２３によって一体化されてモールド樹脂２３を介してハウジング４０に保持されている。固定子コア２１は、モールド樹脂２３によってモールドされているために、電気的に独立し絶縁されている。このため、アースを施さないと、固定子コア２１が浮動電位となり、固定子-回転子間に電位差が発生する。そして、軸受６０に軸電圧が発生し軸受電流が流れるために、軸受電食が生ずることになる。従って、固定子コア２１が浮動電位となることを防止する固定子コアのアース構造が設けられる。
【００１８】
本発明の各実施例では、この固定子コアのアース構造を、部品点数の増加を最小限に抑制しつつ、しかも構造を複雑にすることなく構成するものである。
【実施例１】
【００１９】
図１(a)は、実施例１の２ロータ-１ステータ型のアキシャルギャップモータの一例を示す断面図である。また、図１(b)は図１(a)の固定子２０の斜視図である。なお、図１(b)ではモールド樹脂２３の図示を省略している。
【００２０】
本実施例では、固定子は、コイル２２から固定子コア２１の一部が軸方向（モータの回転軸方向）に突出するように構成されている。固定子コア２１の突出部の外周面とハウジング４０の内周面との間にリング形状の非磁性（常磁性）の導電性部材１０が配置されている。非磁性の導電性部材としては例えばアルミ合金が用いられる。導電性部材として磁性材を用いても良いが、磁束を固定子コアに効果的に通すようにするために、非磁性の導電性部材を用いることが望ましい。
【００２１】
リング形状の導電性部材１０の内周面は、周方向に複数配置された固定子コア２１の全ての突出部の外周面と接触し、かつ、リング形状の導電性部材１０の外周面は、ハウジング４０の内周面と接触し、固定子コアの突出部の外周面とハウジング内周面とを電気的に接続している。なお、導電性部材はモールド樹脂により固定子と一体化されハウジングに固定されている。
【００２２】
本実施例では、複数の固定子コア２１とハウジング４０とが、１つのリング形状の導電性部材１０を介して電気的に導通している。従って、固定子コア２１がハウジング４０にアースされ、固定子コア２１が浮動電位となることを抑制できる。そして、本実施例では、各固定子コアの端面に接続端子を設けることなく、各固定子コアのアースを１つのリング形状の導電性部材１０を介して実現することができる。従って、構造を複雑にすることなく、そして、最小限の部品点数で、固定子に複数配置されている固定子コアをアースすることができる
また、本実施例では、導電性部材１０は、固定子２０とハウジング４０との間の放熱路としても作用するため、固定子２０の温度上昇を抑制することができる。
【００２３】
さらに、本実施例では、導電性部材１０の内周面が複数の固定子コア２１の全ての突出部の外周面と接触するため、固定子コア２１の径方向の位置決め精度が向上する。なお、リング形状の導電性部材１０を、モータの回転軸５０と同心円に形成することによって、位置決めを更に精度良く行うことができる。また、リング形状の導電性部材１０は必ずしも円に形成する必要はなく、固定子コア若しくはハウジングとの接触が確保できれば、内周面若しくは外周面は多角形でも良い。
【００２４】
なお、本実施例では、ハウジングを導電性材料（金属）で構成し、ハウジングを介してアースするようにしている。部品点数が増加するが、リング形状の導電性部材にアース線を取り付け、アース線を介してアースするようにしても良い。この場合、ハウジングは金属製である必要はない。
【実施例２】
【００２５】
図２は、実施例２の２ロータ-１ステータ型のアキシャルギャップモータの固定子構造を示す図である。なお、実施例１と同一個所に関しては同一符号を用い、説明を省略する。
【００２６】
本実施例では、固定子コア２１の内周側にリング形状の非磁性の導電性部材１０が配置されている。リング形状の導電性部材１０の外周面は、周方向に複数配置された固定子コア２１の全ての突出部の内周面と接触する。さらに、リング形状の導電性部材１０の外周面（外周側）に径方向に延びる凸部１１ａが少なくとも１箇所設けられ、凸部１１ａの先端は、ハウジング４０の内周面と接触している。即ち、複数の固定子コア２１は突出部の内周側で導電性部材１０と接触し、導電性部材１０の凸部１１ａはハウジング４０の内周面と接触し、固定子コアの突出部の内周面とハウジング内周面とを電気的に接続している。
【００２７】
本実施例においても、導電性部材により固定子コアとハウジングとが電気的に導通し、固定子コアがハウジングにアースされるため、固定子コアが浮動電位となることを抑制できる。そして、本実施例においても、各固定子コアの端面に接続端子を設けることなく、各固定子コアのアースを１つのリング形状の導電性部材１０を介して実現することができる。従って、構造を複雑にすることなく、そして、最小限の部品点数で、固定子に複数配置されている固定子コアをアースすることができる。
【００２８】
また、本実施例では、導電性部材１０を固定子コア２１の内周側に設けることで、実施例１の構成と比べて、導電性部材１０に使用する材料の量を低減できる。
【００２９】
また、本実施例では、実施例１よりも効果は少ないが、導電性部材１０が、実施例１と同様に、固定子２０とハウジング４０との間の放熱路としても作用するため、固定子２０の温度上昇を抑制することができる。
【００３０】
さらに、本実施例では、導電性部材１０の外周面が複数の固定子コア２１の全ての突出部の内周面と接触するため、実施例１と同様に、固定子コア２１の径方向の位置決め精度が向上する。
【００３１】
なお、実施例１と同様に、リング形状の導電性部材の凸部１１ａにアース線を取り付け、アース線を介してアースするようにしても良い。
【実施例３】
【００３２】
図３は、実施例３の２ロータ-１ステータ型のアキシャルギャップモータの固定子構造を示す図である。なお、実施例１と同一個所に関しては同一符号を用い、説明を省略する。
【００３３】
本実施例では、実施例１の導電性部材の内周側に凸部１１ｂが複数設けられている。各凸部１１ｂが、固定子コア２１の突出部間において固定子コア２１の突出部の側面と接触する。
【００３４】
本実施例においても実施例１と同様の効果が得られる。特に、本実施例では、複数の固定子コア２１が、突出部の外周面に加えて、突出部の側面においても導電性部材１０（凸部１１ｂ）と接触するため、固定子コア２１と導電部材１０との接触性をより向上させることができる。
【００３５】
また、本実施例では、固定子コア２１が突出部の外周面と側面の両方で導電性部材１０とを接触するため、固定子コア２１の径方向および周方向の位置決め精度が向上する。
【００３６】
さらに、本実施例では、凸部１１ｂを固定子コア２１の内周面まで設けることで、固定子コア２１が径方向に絶縁された積層体であった場合においても、固定子コア突出部の側面と凸部１１ｂとが接触するため、固定子コア２１をアースすることができる。
【００３７】
なお、本実施例において、凸部１１ｂは導電性部材１０の内周側に配置されているが、導電性部材１０の外周側から延びるように凸部を配置しても良い。即ち、上述の実施例２において、凸部１１ａを複数設け、固定子コアの突出部の側面と各凸部１１ａを接触させるようにしても良い。本実施例と同様の効果が得られる。
【００３８】
また、本実施例では、凸部１１ｂを全ての固定子コア２１の突出部間に設けた例を示しているが、１箇所置きに設けてもよい。導電性部材１０の外周側に複数の凸部１１ａを配置する場合も同様である。
【００３９】
なお、本実施例でが、固定子コアの外周面も導電性部材に接触するようにしているが、アースという観点からは必ずしも接触させる必要はない。
【００４０】
また、実施例１で述べた変形例（アース線など）は本実施例にも同様に適用できる。
【実施例４】
【００４１】
図４は、実施例４の２ロータ-１ステータ型のアキシャルギャップモータの固定子構造を示す図である。なお、実施例３と同一個所に関しては同一符号を用い、説明を省略する。
【００４２】
本実施例では、実施例３の導電性部材１０の凸部１１ｂに径方向のスリット１２を施している。また、導電性部材１０と固定子コア２１の突出部の外周面とが接触する部分にも径方向にスリット１２を施している。
【００４３】
本実施例においても実施例１及び３と同様の効果が得られる。そして、本実施例によると、凸部１１ｂおよび導電性部材１０と固定子コア２１の突出部の外周面とが接触する部分に径方向のスリット１２を設けることで、導電性部材１０に発生する渦電流路を遮断することができるため、実施例３の構成と比べて、導電性部材１０に発生する損失を低減できる。
【００４４】
なお、スリット１２の幅、長さ、数および形状については導電性部材１０に発生する損失の低減効果、および固定子２０の温度上昇の抑制効果の関係から適宜決定する。
【００４５】
また、本実施例は、実施例３の構成に限らず、実施例１および実施例２の構成に加えて用いてもよい。
【００４６】
また、実施例１や３で述べた変形例（アース線など）は本実施例にも同様に適用できる。
【実施例５】
【００４７】
図５(a)および図５(b)は、実施例５の２ロータ-１ステータ型のアキシャルギャップモータの固定子構造を示す図である。なお、実施例４と同一個所に関しては同一符号を用い、説明を省略する。
【００４８】
本実施例では、図５(a)に示したように、実施例４の構成に加えて、スリット１２が施された導電性部材１０の凸部１１ｂにおける固定子コア２１の突出部の側面との接触部分１３が、固定子コアの突出部側に位置するように周方向に変形され、また、周方向に弾性変形が可能なように構成されている。固定子コアの突出部側に位置するように周方向に変形された接触部分１３に固定子コア２１の突出部を押し当て、接触部分１３を弾性変形させて固定子コア２１の突出部を２つの接触部分１３間に嵌め込めている。
【００４９】
本実施例においても上述の実施例と同様の効果が得られる。そして、本実施例によると、２つの接触部分１３間に、固定子コア２１の突出部が押し当てるように嵌めこまれるため、実施例４の構成と比べて、固定子コア２１の突出部と導電性部材１０との接触性が向上する。
【００５０】
また、本実施例では接触部分１３を周方向に変形させているが、図５（ｂ）に示すように、軸方向にも変形させて軸方向にも弾性変形が可能なように構成してもよい。
【００５１】
また、実施例１や３、４で述べた変形例（アース線など）は本実施例にも同様に適用できる。
【実施例６】
【００５２】
図６は実施例６の２ロータ-１ステータ型のアキシャルギャップモータの固定子構造を示す図である。なお、実施例１と同一個所に関しては同一符号を用い、説明を省略する。
【００５３】
本実施例では、実施例１の導電性部材１０に切断部１４が設けられ、周方向に複数に分割されている。
【００５４】
本実施例においても実施例１と同様の効果が得られる。さらに、本実施例によると、導電性部材１０が周方向に複数分割されているため、導電性部材１０に発生する渦電流路を遮断することができるため、実施例１の構成と比べて、導電性部材１０に発生する損失を低減できる。
【００５５】
なお、導電性部材１０の分割数は任意である。また、本実施例に記載した構成は、実施例１だけに限定されず、実施例２から実施例５に記載の構成に加えて用いてもよい。
【実施例７】
【００５６】
図７は、実施例７の２ロータ-１ステータ型のアキシャルギャップモータの固定子構造を示す図である。なお、実施例１と同一の個所関しては同一符号を用い、説明を省略する。
【００５７】
本実施例では、実施例１の導電性部材１０が、モータの軸方向に見て固定子コア２１の両端面に設けられている。
【００５８】
本実施例においても実施例１と同様の効果が得られる。さらに、本実施例によると、導電性部材１０は、固定子コア２１の両端面において突出部の外周面と接触するため、実施例１の構成と比べて、固定子コア２１と導電性部材１０との接触性が向上する。
【００５９】
また、本実施例では、導電性部材１０を固定子コア２１の両端面に設けることで、固定子２０とハウジング４０との間の放熱路が増えるため、実施例１と比べて、固定子２０の温度上昇をより抑制することができる。
【００６０】
さらに、本実施例では、導電性部材１０を固定子コア２１の両端面に設けることで、軸方向の両端で固定子コア２１を支持することができるため、固定子コア２１の径方向の位置決め精度を向上できる。
【００６１】
なお、本実施例に記載した構成は、実施例１だけに限定されず、実施例２から実施例６に記載の構成に加えて用いてもよい。
【実施例８】
【００６２】
図８は、実施例８の２ロータ-１ステータ型のアキシャルギャップモータの固定子構造を示す図である。なお、実施例１と同一の個所関しては同一符号を用い、説明を省略する。
【００６３】
本実施例におけるリング形状の導電性部材１０には、周方向に複数の貫通穴１５ａが設けられている。
【００６４】
本実施例においても実施例１と同様の効果が得られる。さらに、本実施例によると、導電性部材１０に貫通穴１５ａを設けることで、固定子コアと導電性部材をハウジング内に配置して樹脂モールドする際に、貫通穴１５ａがモールド樹脂２３の充填口、または、空気の抜け穴となるため、固定子２０のモールド性を向上させることができる。
【００６５】
なお、貫通穴１５ａの大きさ、形状および数は任意である。また、本実施例に記載した構成は、実施例１だけに限定されず、実施例２から実施例７に記載の構成に加えて用いても良い。
【実施例９】
【００６６】
本実施例は、固定子コアとコイルとの間に、絶縁用のコイルボビン（図示省略）が設けられている２ロータ-１ステータ型のアキシャルギャップモータに関する。
【００６７】
図９は、本実施例の２ロータ-１ステータ型のアキシャルギャップモータの固定子コアをアースするための導電性部材１０の構造を示す図である。
【００６８】
本実施例では、導電性部材１０のコイルボビンと接する面側（固定子コアと接する面側）に、コイルボビンの位置決めをするための段差部１６が設けられている。
【００６９】
本実施例においても上述の実施例と同様の効果が得られる。さらに、本実施例によると、導電性部材１０に段差部１６を設けることで、段差部１６にコイルボビンを沿わせて配置でき、コイルボビンを介して固定子コア２１の径方向および周方向の位置決めを精度良く行うことができる。
【００７０】
なお、段差部１６の形状は任意であり、コイルボビンを位置決めすることができればよい。
【００７１】
また、本実施例に記載した構成は、実施例１から実施例８に記載のアキシャルギャップモータの構成に加えてもよい。
【実施例１０】
【００７２】
図１０は実施例１０の２ロータ-１ステータ型のアキシャルギャップモータの固定子構造を示す図である。なお、実施例１と同一の個所関しては同一符号を用い、説明を省略する。
【００７３】
本実施例では、実施例１の導電性部材１０に、コイル配線２５を取り出すための貫通穴１５ｂを設けている（実施例１他ではコイル配線の図示を省略している。）。
【００７４】
本実施例においても上述の実施例と同様の効果が得られる。さらに、本実施例によると、導電性部材１０に設けられた貫通穴１５ｂからコイル配線２５を取り出すことが可能となる。
【００７５】
なお、貫通穴１５ｂの大きさ、形状は任意である。また、本実施例に記載した構成は、実施例１だけに限定されず、実施例２から実施例９に記載の構成に加えて用いても良い。
【実施例１１】
【００７６】
図１１は、実施例１１の２ロータ-１ステータ型のアキシャルギャップモータの固定子構造を示す図である。
【００７７】
本実施例では、固定子２０の内周面（回転軸５０との対向面）に筒状導電性部材７０が配置されている。その他の構成は実施例１〜１０の構成が適用される。
【００７８】
本実施例によると、固定子２０の内周面に設けた筒状導電性部材７０が、コイル２２と回転軸５０とを静電遮断するために、軸受電食の発生防止できる。
【００７９】
筒状導電性部材７０としては、例えば、図１２に示すように、筒状導電性部材７０の周方向にスリット７１を設けるようにしても良い。筒状導電性部材７０の周方向に設けたスリット７１が、筒状導電性部材７０に発生する渦電流路を遮断するために、筒状導電性部材７０に発生する損失を低減できる。また、固定子コア２１と筒状導電性部材とをモールド樹脂２３によって一体モールドする際に、スリット７１内にもモールド樹脂２３を充填することで筒状導電性部材７０のモールド性が向上する。
【００８０】
図１３は筒状導電性部材７０のアース構造を示す図である。図２に示す実施例と同様な構造の導電性部材１０が用いられている。
【００８１】
本実施例では、導電性部材１０の内周側が筒状導電性部材７０と接触するように、導電性部材１０の内周側が実施例２よりも中心側に延びている。また、本実施例では、導電性部材１０の内周側の側面が筒状導電性部材７０の端面と接触するようにしているが、導電性部材１０の内周面が筒状導電性部材７０の外周面と接触するようにしても良い。
【００８２】
さらに、実施例２と同様に、導電性部材１０の外周面（外周側）に径方向に延びる凸部１１ａが少なくとも１箇所設けられている。そして、凸部１１ａの先端は、ハウジング４０の内周面と接触している。
【００８３】
本実施例によると、筒状導電性部材７０とハウジング４０とが導電性部材１０を介して電気的に導通するため、筒状導電性部材７０はハウジング４０にアースされ、筒状導電性部材７０が浮動電位となることを防止できる。
【実施例１２】
【００８４】
図１４は実施例１３の２ロータ-１ステータ型のアキシャルギャップモータの固定子構造を示す図である。なお、実施例１と同一の個所関しては同一符号を用い、説明を省略する。
【００８５】
本実施例では、実施例１のハウジング４０の内周面に突出部４１が設けられている。また、導電性部材１０は、突出部４１に接している。
【００８６】
本実施例においても実施例１と同様の効果が得られる。さらに、本実施例によると、ハウジング４０の内周面に設けた突出部４１に導電性部材１０の側面が接するように配置されるため、導電性部材１０とハウジング４０との接触性を向上でき、かつ、導電性部材１０の軸方向の位置決め精度を向上できる。
【００８７】
なお、突出部４１の形状は任意であり、少なくとも導電性部材１０との接触が確保できれば良い。
【００８８】
また、突出部４１を設けるかわりに、ハウジング４０の外部から保持部材（例えばネジ）をハウジング内部に挿入させて配置し、この保持部材に導電性部材１０の側面が接触するようにしても良い。
【００８９】
なお、本発明は上記した各実施例に限定されるものではなく、様々な変形例が含まれる。例えば、上記した各実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加，削除，置換をすることが可能である。
【００９０】
例えば、上述した実施例では、アキシャルギャップ型回転電機としてアキシャルギャップモータについて説明したが、アキシャルギャップ発電機にも同様に適用できる。
【００９１】
また、アキシャルギャップ型回転電機として２ロータ-1ステータ型のアキシャルギャップ型回転電機について説明したが、１ロータ-1ステータ型のアキシャルギャップ型回転電機にも適用できる。この場合、特に、導電性部材が固定子とハウジングとの間の放熱路として作用するため、固定子の温度上昇を抑制することができる。
【符号の説明】
【００９２】
Ｇ：ギャップ
１０：導電性部材
２０：固定子
２１：固定子コア
２２：コイル
２３：モールド樹脂
３０：回転子
４０：ハウジング
５０：回転軸
６０：軸受
１００：アキシャルギャップモータ
【図１（ａ）】
2014017915.tif 000003
【図１（ｂ）】
2014017915.tif 000004
【図１（ｃ）】
2014017915.tif 000005
【図２】
2014017915.tif 000006
【図３】
2014017915.tif 000007
【図４】
2014017915.tif 000008
【図５（ａ）】
2014017915.tif 000009
【図５（ｂ）】
2014017915.tif 000010
【図６】
2014017915.tif 000011
【図７】
2014017915.tif 000012
【図８】
2014017915.tif 000013
【図９】
2014017915.tif 000014
【図１０】
2014017915.tif 000015
【図１１】
2014017915.tif 000016
【図１２】
2014017915.tif 000017
【図１３】
2014017915.tif 000018
【図１４】
2014017915.tif 000019
【手続補正書】
【提出日】平成25年7月1日(2013.7.1)
【手続補正１】
【補正対象書類名】特許請求の範囲
【補正対象項目名】請求項１
【補正方法】変更
【補正の内容】
【請求項１】
固定子と、前記固定子に対して回転電機の回転軸方向にエアギャップを介して配置された回転子と、前記固定子と前記回転子を収容するハウジングとを備えたアキシャルギャップ型回転電機であって、
前記固定子は、周方向に複数配置された固定子コアと、前記各固定子コアの周囲を巻回するコイルと、前記コイルが巻回された複数の固定子コアをモールドする樹脂とを有し、前記固定子コアの一部が前記コイルから前記回転軸方向に突出した突出部を有するように構成されており、
前記固定子コアの突出部の周囲面と接するように導電性部材が設けられ、前記導電性部材を介してアースすることを特徴とするアキシャルギャップ型回転電機。
【手続補正２】
【補正対象書類名】明細書
【補正対象項目名】０００１
【補正方法】変更
【補正の内容】
【０００１】
本発明は、アキシャルギャップ型回転電機に係り、特に、固定子がモールド樹脂で保持されているアキシャルギャップ型回転電機の固定子コアのアース構造に関する。
【手続補正３】
【補正対象書類名】明細書
【補正対象項目名】０００５
【補正方法】変更
【補正の内容】
【０００５】
特許文献１に記載の固定子は、軸線方向にみて扇形の鉄心（固定子コア）の回りにコイルを巻き付けたものを所期の極数分だけ周方向に並べて全体として円環状とされ、板状の支持部材を介してケースに取り付け支持した構成となっている。このため、固定子コアが樹脂モールドされても、板状の支持部材を導電性の材料で構成することによって、ケースを介してアースすることができる。
【手続補正４】
【補正対象書類名】明細書
【補正対象項目名】００１０
【補正方法】変更
【補正の内容】
【００１０】
本発明の目的は、固定子がモールド樹脂で保持されているアキシャルギャップ型回転電機において、構造を複雑にすることなく固定子コアのアースを実現することにある。
【手続補正５】
【補正対象書類名】明細書
【補正対象項目名】００１１
【補正方法】変更
【補正の内容】
【００１１】
本発明は、アキシャルギャップ型回転電機において、固定子コアの周囲を巻回するコイルから軸方向（回転電機の回転軸方向）に固定子コアの一部が突出するように固定子を構成し、固定子コアの突出した部分（突出部）の周囲面と回転電機のハウジングとを導電性部材によって電気的に接続することを特徴とする。
【手続補正６】
【補正対象書類名】明細書
【補正対象項目名】００８４
【補正方法】変更
【補正の内容】
【００８４】
図１４は実施例１２の２ロータ-１ステータ型のアキシャルギャップモータの固定子構造を示す図である。なお、実施例１と同一の個所関しては同一符号を用い、説明を省略する。